【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
連続的に接続されるユーザーに適用される通信システムにおいて、データチャネル上でデータ信号及び制御チャネル上で制御信号を供給するステップ、及び
プリアンブルを有する前記制御信号を送信するステップを有する方法であって、
前記プリアンブルのプリアンブル長は既定の基準を用いて規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、方法。
【請求項２】
名目スループットに関連する前記スループットはＫレベルにより分類され、Ｋは少なくとも２の整数である、請求項１に記載の方法。
【請求項３】
フェージングの前記程度はＮレベルにより分類され、Ｎは少なくとも２の整数である、請求項１に記載の方法。
【請求項４】
前記制御チャネルは、ユーザー装置からネットワークエレメントに前記プリアンブルを送信する上り回線個別物理制御チャネルである、請求項１に記載の方法。
【請求項５】
前記ネットワークエレメントはノードＢであり、前記ネットワークエレメント及び前記ユーザー装置はワイヤレス通信に対し構成される、請求項４に記載の方法。
【請求項６】
前記ユーザー装置は、ワイヤレスデバイス、携帯デバイス、モバイル通信デバイス又は携帯電話である、請求項４に記載の方法。
【請求項７】
前記プリアンブルは前記ネットワークエレメントにより規定される、請求項４に記載の方法。
【請求項８】
前記プリアンブルは前記ユーザー装置により規定される、請求項４に記載の方法。
【請求項９】
前記データチャネルは拡張個別チャネルである、請求項１に記載の方法。
【請求項１０】
前記プリアンブルを送信する前に、前記方法は、
更なる既定の基準を用いてプリアンブル電力時間依存性を規定するステップを有する、請求項１に記載の方法。
【請求項１１】
前記プリアンブル長は前記データ信号の送信タイミング間隔の長さにより更に決まる、請求項１に記載の方法。
【請求項１２】
前記プリアンブルを前記規定する間、前記プリアンブル長は、前記送信ギャップ長の変化に応じて、前記既定の基準を用いて事前選択された値により変わる、請求項１に記載の方法。
【請求項１３】
前記送信ギャップが所定のしきい値を超える場合のみ、前記プリアンブル長は非ゼロとなる、請求項１１に記載の方法。
【請求項１４】
コンピュータプログラムを用いてコンピュータプロセッサーを実行させるために、該コンピュータプログラムを搭載するコンピュータ読み取り可能な記憶構造を有するコンピュータ読み取り可能な記憶媒体であって、該コンピュータプログラムは請求項１の前記方法を実行するための指示を有する、記憶媒体。
【請求項１５】
データチャネル上でデータ信号及び制御チャネル上でプリアンブルを有する制御信号を供給するために構成された、上り回線スケジューリング及び信号生成モジュール、並びに
該プリアンブルを有する該制御信号を送信するために構成されたモジュールを有する装置であって、
前記プリアンブルのプリアンブル長は既定の基準を用いて適応的に規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、装置。
【請求項１６】
名目スループットに関連する前記スループットはＫレベルにより分類され、Ｋは少なくとも２の整数である、請求項１５に記載の装置。
【請求項１７】
フェージングの前記程度はＮレベルにより分類され、Ｎは少なくとも２の整数である、請求項１５に記載の装置。
【請求項１８】
前記制御チャネルは、前記装置からネットワークエレメントに前記プリアンブルを送信する上り回線個別物理制御チャネルである、請求項１５に記載の装置。
【請求項１９】
前記上り回線スケジューリング及び信号生成モジュールは、ネットワークエレメントにより供給される入力情報を用いて、前記プリアンブル長を規定するために構成される、請求項１５に記載の装置。
【請求項２０】
前記上り回線スケジューリング及び信号生成モジュールは、前記プリアンブル長を規定するために構成される、請求項１５に記載の装置。
【請求項２１】
前記データチャネルは拡張個別チャネルである、請求項１５に記載の装置。
【請求項２２】
前記プリアンブル長は前記データ信号の送信タイミング間隔の長さにより更に決まる、請求項１５に記載の装置。
【請求項２３】
前記プリアンブルを前記規定する間、前記プリアンブル長は、前記送信ギャップ長の変化に応じて、前記既定の基準を用いて事前選択された値により変わる、請求項２２に記載の装置。
【請求項２４】
前記送信ギャップが所定のしきい値を超える場合のみ、前記プリアンブル長は非ゼロとなる、請求項２２に記載の装置。
【請求項２５】
前記送信ギャップ長は可変である、請求項２２に記載の装置。
【請求項２６】
前記プリアンブルは、前記データ信号の送信中に変化する動的な長さを持つ、請求項１５に記載の装置。
【請求項２７】
集積回路が、上り回線スケジューリングと信号生成モジュール、及び送信を行うために構成されたモジュールを有する、請求項１５に記載の装置。
【請求項２８】
前記制御信号及び前記データ信号が１つの結合されたチャネル上で送信されるように、前記制御チャネル及び前記データチャネルが結合された、請求項１５に記載の装置。
【請求項２９】
連続的に接続されるユーザーに適用される通信システムにおいて、データチャネル上でデータ信号及びプリアンブルを有する制御チャネル上で制御信号を供給するために構成され、並びに、前記制御チャネル上の前記プリアンブルを送信するために構成されたユーザー装置、並びに
前記プリアンブルを有する前記制御信号に応答するネットワークエレメントを有する通信システムであって、
前記プリアンブルのプリアンブル長は既定の基準を用いて規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、通信システム。
【請求項３０】
名目スループットに関連する前記スループットはＫレベルにより分類され、Ｋは少なくとも２の整数である、請求項２９に記載のシステム。
【請求項３１】
前記プリアンブル長は、前記データ信号の送信タイミング間隔（TTI）の長さにより更に決まる、請求項２９に記載のシステム。
【請求項３２】
データチャネル上でデータ信号及び制御チャネル上でプリアンブルを有する制御信号を供給するための信号生成手段、並びに
前記プリアンブルを有する前記制御信号を送信するための手段を有する装置であって、
前記プリアンブルのプリアンブル長は既定の基準を用いて適応的に規定され、該プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、装置。
【請求項３３】
前記信号生成手段は、上り回線スケジューリング及び信号生成モジュールである、請求項３２に記載の装置。
【請求項３４】
ユーザー装置からのデータチャネル上でデータ信号及び制御チャネル上でプリアンブルを有する制御信号を受信するために構成された受信機、
前記プリアンブルのプリアンブル長を適応的に規定するために構成された下り回線スケジューリング及び信号生成モジュール、並びに
前記ユーザー装置に前記プリアンブルに対するプリアンブル規定信号を送信するために構成された送信機を有するネットワーク要素であって、
該プリアンブル長は、既定の基準を用いて、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、ネットワーク要素。
【請求項３５】
前記プリアンブル長は、前記データ信号の送信タイミング間隔の長さにより更に決まる、請求項３４に記載のネットワーク要素。
【請求項３６】
既定の基準を用いてプリアンブルのプリアンブル長を規定するステップ、
前記プリアンブルに対するプリアンブル規定信号を送信するステップ、
連続的に接続されるユーザーに適用される通信システムにおいて、データチャネル上でデータ信号及び制御チャネル上で前記プリアンブルを有する制御信号を受信するステップを有する方法であって、
前記プリアンブル長は、
前記データ信号を送信するために用いられるマルチパスチャネルのフェージングの程度、
前記データ信号の名目スループットに関連するスループット、及び
前記制御信号又は前記データ信号における送信ギャップ長、の少なくとも１つにより決まる、方法。
【請求項３７】
前記データ信号及び前記プリアンブルを有する前記制御信号はユーザー装置からのネットワークエレメントにより受信され、前記制御信号は上り回線個別物理制御チャネルである、請求項３６に記載の方法。
【手続補正２】
【補正対象書類名】明細書
【補正対象項目名】０００２
【補正方法】変更
【補正の内容】
【０００２】
パケットデータユーザーは、通常、活動（activity）の時折の期間のみ、ネットワークと連続的に接続される。連続接続モードでは、ユーザーは非活動の期間にもそのデータチャネルを放棄せず、トラヒックが有効であるときにはチャネルを再設定するだけとなる。これは、ユーザーの実現を台無しにするであろう遅延をもたらす。多数のそのようなユーザーを許容するために、ＵＥは、データを送らないとき、その（連続的な）個別物理制御チャネル（DPCCH :  dedicated physical control channel）送信を中断するよう（即ち、ゲーティング（gating）を使用）に設定することができる。ユーザーは、例えば、２−５フレーム毎に１つの2 ms TTI（transmission timing interval）のデータを送信し、その間には何も送信しない（即ち、送信ギャップ中にはDPCCHはない）。
【手続補正３】
【補正対象書類名】明細書
【補正対象項目名】００１４
【補正方法】変更
【補正の内容】
【００１４】
更なる発明の第１の観点によれば、制御チャネルは、ユーザー装置からネットワークエレメントへ電力制御プリアンブルを送信する上り回線個別物理制御チャネルとできる。更に、ネットワークエレメントはノードBとでき、ネットワークエレメント及びユーザー装置はワイヤレス通信用に構成される。更に、ユーザー装置は、ワイヤレスデバイス、携帯デバイス、モバイル通信デバイス、又は携帯電話とできる。更に、プリアンブルはネットワークエレメント、又はユーザー装置により定義される。
【手続補正４】
【補正対象書類名】明細書
【補正対象項目名】００１８
【補正方法】変更
【補正の内容】
【００１８】
更なる発明の第１の観点によれば、プリアンブルを規定する間、プリアンブル長は、送信ギャップ長の変化に応じて、既定の基準を用いて事前選択された値により変えることができる。更に、プリアンブル長は、送信ギャップが所定のしきい値を超えた場合のみ、非ゼロとできる。
【手続補正５】
【補正対象書類名】明細書
【補正対象項目名】００２１
【補正方法】変更
【補正の内容】
【００２１】
更なる発明の第２の観点によれば、プリアンブルはネットワークエレメントにより定義され、並びに／又は、上り回線スケジューリング及び信号生成モジュールはプリアンブル長を規定するために構成される。
【手続補正６】
【補正対象書類名】明細書
【補正対象項目名】００２３
【補正方法】変更
【補正の内容】
【００２３】
更なる発明の第２の観点によれば、プリアンブル長は、データ信号の送信タイミング間隔の長さにより更に決まる。更に、プリアンブルを規定する間、プリアンブル長は、送信ギャップ長の変化に応じて、既定の基準を用いて事前選択された値により変えることができる。更に、プリアンブル長は、送信ギャップが所定のしきい値を超えた場合のみ、非ゼロとできる。更に、送信ギャップ長は可変とできる。
【手続補正７】
【補正対象書類名】明細書
【補正対象項目名】００２９
【補正方法】変更
【補正の内容】
【００２９】
発明の第５の観点によれば、プログラムを記憶するコンピュータ読み取り可能な記憶媒体は、コンピュータプログラムを用いたコンピュータプロセッサーによる実行のため、コンピュータプログラムを搭載するコンピュータ読み取り可能な記憶構造を有し、コンピュータプログラムは発明の第1の観点を実行するための命令を有し、ネットワークエレメント又はユーザー装置の任意の要素又は要素の結合により実行されるものとして示される。
【手続補正８】
【補正対象書類名】明細書
【補正対象項目名】００３０
【補正方法】変更
【補正の内容】
【００３０】
本発明の性質及び目的のより深い理解のため、以下の図と併せて、以下の詳細記述について説明する。
発明を実行するためのモード
プリアンブルを送信するために、例えばUL（上り回線）個別物理制御チャネル（DPCCH）などの制御チャネルを使用する連続接続送信におけるプリアンブルの適応プリアンブル長を規定するための、新たな方法、システム、装置及びコンピュータ読み取り可能な記憶媒体が提示される。このようなプリアンブルは、送信ギャップ後の初期電力設定に対する精度要件を減らし、また拡張個別チャネル（E-DCH）などのデータチャネルのチャネル推定及び同期を補助する。本発明の１つの実施例によれば、プリアンブル長は、ａ）送信機から受信機まで伝搬する送信信号が受ける無線チャネルによるフェージングの程度及び／若しくはマルチパス反射の程度、ここで、この信号はデータチャネル上でデータを送信するために使用される（若しくは制御チャネル上での制御信号）、ｂ）データチャネルにおける名目スループットに関連するスループット、並びに／又は、ｃ）非連続な制御信号（例えば、DPCCH上で送信される）、若しくは、例えば拡張個別チャネル（E-DCH: enhanced dedicated channel）上で送信される非連続なデータ信号における送信ギャップ長（例えば、可変とできる非活動の期間）、に応じた既定の基準を用いて、最適化及び規定される。
【手続補正９】
【補正対象書類名】明細書
【補正対象項目名】００４８
【補正方法】変更
【補正の内容】
【００４８】
図3の例において、ネットワークエレメント１６（例えば、ノードB又は無線ネットワーク制御器RNC）は、送信機１８、信号スケジューリング及び生成モジュール２０、並びに受信機２２を有する。上記したように本発明の異なる実施例に従い、既定の及び更なる既定の基準を用いて、モジュール２０は、プリアンブル長が規定されるプリアンブル規定信号（信号34、34a、及び36を参照）、又は代わりに電力制御フィードバック及び／若しくはプリアンブル長に対する指示（例えばレンジ）（信号35、35a、及び35bを参照）をユーザー装置１０に供給するために使用される。
【手続補正１０】
【補正対象書類名】明細書
【補正対象項目名】００５１
【補正方法】変更
【補正の内容】
【００５１】
UE１０がプリアンブルを規定するために使用される場合、それはモジュール１２により調整され、始められる。ネットワークエレメント１６から受信される指示信号（信号３５、３５ａ、及び３５ｂを参照）に応じて既定の基準を用いることにより、並びに、例えば、非連続のDPCCH信号３２ｃ又は非連続のE-DCH信号３２ａにおける送信ギャップ長（これは可変とできる）、及び／又はE-DCH信号３２ａの送信タイミング間隔（TTI）の長さなどの適切なパラメータを監視することにより、モジュール１２はプリアンブル長を最適化できる（または、電力制御プリアンブル内の電力依存性は、モジュール１２による更なる既定の基準を用いて最適化できる）。
【手続補正１１】
【補正対象書類名】明細書
【補正対象項目名】００５９
【補正方法】変更
【補正の内容】
【００５９】
上で説明したように、本発明は、方法、及び該方法のステップを実行するための機能を供給する様々なモジュールを有する対応する装置の両方を提供する。モジュールは、ハードウェアとして実装でき、又はコンピュータプロセッサーによる実行のためのソフトウェア若しくはファームウェアとして実装できる。特に、ファームウェア又はソフトウェアの場合、本発明は、コンピュータプロセッサーによる実行のためのコンピュータプログラム（即ち、ソフトウェア又はファームウェア）を搭載するコンピュータ読み取り可能な記憶構造を有するコンピュータ読み取り可能な記憶媒体として提供される。